(57)【要約】      （修正有）【課題】薄型テレビをテレビ台座に固定した状態で工具等を使用せず、左右勝手仕様の回動中心軸芯（Ｒ・Ｌ）に瞬時に回動中心を選択移動設定出来る薄型テレビ取付装置及び、これを備えた床頭台その他の収納棚の提供。【解決手段】床頭台のテレビ取付空間の前面で左右両端の上板・下板に回動中心軸芯（Ｒ・Ｌ）となる、回動軸を上下の２軸は同一軸芯となるように固定する。回動中心板両端の回動中心点は切り欠き状の長穴になっており、テレビ台座の各上下面と回動中心板のすり割り部にはめ込まれたスライダ−プレ−トとをスライダ−ストッパ−によって噛み合わせ固定して、左右どちらかの回動中心点を回動中心としてテレビ台座は回動する。回動中心を左右どちらかに移動させるには、回動中心板を横に移動させる事によりストッパ−規制を解除させ回動中心板の回動中心点とスライダ−プレ−トと噛み合わせを反対側に移動させる事により回動中心は移動する。【選択図】図１
2006295864.tif 000002
【特許請求の範囲】
【請求項１】
床頭台その他の収納棚に取り付けられる液晶テレビ等の薄型テレビ取付装置において、薄型テレビを固定したテレビ台座が、床頭台のテレビ取付空間又は収納棚の前面で左右両端部の上板・下板に設けた部材を回動中心軸芯（Ｒ・Ｌ）として、左右どちらかの回動中心軸芯（Ｒ・Ｌ）に対して回動可能に支持される事を特徴とする薄型テレビ取付装置。
【請求項２】
床頭台のテレビ取付空間又は収納棚の前面で左右両端部の上板・下板に設けた部材を回動中心軸芯（Ｒ・Ｌ）として、薄型テレビをテレビ台座に固定した状態で工具等を使用せず、左右どちらかを回動中心軸芯（Ｒ・Ｌ）として回動中心を選択移動設定出来る事を特徴とする請求項１記載の薄型テレビ取付装置。
【発明の詳細な説明】
【技術分野】
【０００１】  本発明は、液晶テレビ、プラズマテレビ等の薄型テレビ（コンピュ−タ用薄型ディスプレイを含む）を床頭台その他の収納棚に取り付けるための薄型テレビ取付装置及び、これを備えた床頭台その他の収納棚に関するものである。
【背景技術】
【０００２】  病室等に設置される床頭台にテレビを載置する場合、今まではブラウン管式のテレビが主流であったが、最近では取り付けスペ−スの関係で液晶テレビ、プラズマテレビ等の薄型テレビが主流になってきている。【０００３】  床頭台等のテレビ取付空間に薄型テレビを取り付けるテレビ取付装置としては下記に示したようなものが知られている。
【参考文献１】
特許−第２９１４５６８号
【参考文献２】
特開２０００−１９９７６
【発明が解決しようとする課題】
【０００４】  参考文献１においては、微細な部品が多く、組み込みに時間が掛かり、組み立ては煩雑なものとなっている。又テレビが取り付けられている土台部３０上部の空間は、患者がテレビを見易い状態に位置移動・角度調整する為に使用され、ほとんどがデットスペ−スとなってしまう。本文中
【００１２】項にあるまた、テレビを見ないときには、例えば第１位置に起伏方向の回動角度を調整して仕舞い込めば良い。とあるが、説明図の図７・図８（Ｂ）のようになるには、テレビ自体が相当小さい画面のものでなくてはならず、通常使用する１４インチ程度の大きさでは、テレビ下部と土台部３０の蓋板３８との空間はほとんど無くなってしまう。
【０００５】  参考文献２においては、テレビ取付装置自体は床頭台の上面及び収納棚等のスペ−スを専有する事は無いが、折り畳み収納時には床頭台の側面にディスプレイ本体と取り付け台座体が露出してしまい、医師・看護師の医療行為の邪魔となる。又ベットの配置によっては、説明図と逆勝手仕様の物でないと実用上使用出来なくなる。又収納時にテレビ本体が床頭台より外に出てしまう為病室内、及び病院内の移動時に接触・破損の心配がある。
【０００６】  そこで本発明は部品点数が少なく、テレビ取付空間への取り付け作業が容易で、ベットの配置に影響されない薄型テレビ取付装置及び、これを備えた床頭台その他の収納棚を提供するものである。
【課題を解決するための手段】
【０００７】  薄型テレビＡはテレビ取付ブラケット１Ｒ・１Ｌ、テレビ保持部材２を介してテレビ台座３に固定される。テレビ取付ブラケット１Ｒ・１Ｌは、Ｌ字形状を有しており、そのＲＬ１組の短辺背面にテレビ背面Ａ２を固定する。
【０００８】  テレビ取付ブラケット１Ｒ・１Ｌとテレビ保持部材２とを１点ピン支持する段付ボルト（ａ）４の間に介挿された皿バネ５の摩擦力で、テレビ画面Ａ１の視野角度を任意に調整・維持することが出来る。
【０００９】  テレビ保持部材２は上端部がフック状となっており、テレビ台座３の中央背面上部に段付ボルト（ｂ）６でピン支持され、下部をネジ止めする容易な取り付けになっている。
【００１０】  テレビ取付空間Ｂ１の前面で左右両端の上板Ｂ２・下板Ｂ３に左・右回動中心軸芯ＣＬ・ＣＲとなる、回動軸７を４個ネジにより固定する。上下の２軸は同一軸芯とする。
【００１１】  テレビ台座３の上・下面は折り曲げ、テレビ取付空間Ｂ１の上板Ｂ２・下板Ｂ３に水平となり、この折り曲げ面で回動中心板８と固定される。回動中心板８の両端の左・右回動中心点８ＣＬ・８ＣＲは切り欠き状長穴になっており、スライダ−プレ−ト９の左・右円弧部９Ｌ・９Ｒと噛み合わせて左・右回動中心点８ＣＬ・８ＣＲのどちらかを回動中心として、テレビ台座３は回動する。回動中心板８の切り欠き状長穴の左・右回動中心点８ＣＬ・８ＣＲが回動中心として回動軸７から外れないように、テレビ台座３の各上・下面と回動中心板８のすり割り部にはめ込まれたスライダ−プレ−ト９は、左・右回動中心点８ＣＬ・８ＣＲとはそれぞれ反対側の圧縮バネ１０によって押されたスライダ−ストッパ−１１により回動中心板８の長穴状の左・右回動中心点８ＣＬ・８ＣＲとスライダ−プレ−ト９の左・右円弧部９Ｌ・９Ｒとによる回動中心部を形成する。
【００１２】  テレビ台座３にはテレビ画面Ａ１とは反対方向に床頭台Ｂと同じ材質の背面板１２が固定されており、薄型テレビＡを格納した場合に薄型テレビＡの背面Ａ２と取付金具等１Ｒ・１Ｌ、２及び電気配線が見えないようにしている。テレビ台座３の折り曲げられた上面に取り付けた格納固定金具１３が格納状態において、テレビ取付空間Ｂ１の上板Ｂ２に取り付けられた永久磁石１４に吸着固定されて格納状態を維持するようになっている。
【００１３】  図７のように薄型テレビＡを装着したテレビ台座３は、格納時より反時計方向に回動させて、患者にとっての見易い任意の位置で保持される。
【００１４】  図７は、図６（ａ）のように床頭台ＢをベットＤの右側に置いてある右勝手仕様の場合であるが、病室の配置の関係で図６（ｂ）のようにベットＤの左側に置く場合も有る。その場合図７のテレビ回動状態では、ベットの患者はテレビが見られないので左勝手仕様にしなければならない。
【００１５】  その場合は、回動中心軸芯Ｃを左回動中心軸芯ＣＬから右回動中心軸芯ＣＲに変更することになる。テレビ台座３を正面まで回動させ、テレビ台座３に固定された回動中心板８の右側回動中心長穴を右可動軸７Ｒに合わせる。テレビ台座３を左側に移動させると、圧縮バネ１０によって押された左側のスライダ−ストッパ−１１によりスライダ−プレ−ト９は右に移動固定され、回動中心板８の切り欠き状長穴の右回動中心点８ＣＲとスライダ−プレ−ト９の右円弧部９Ｒとによる回動中心部を形成して右回動軸７Ｒからずれないようになり回動中心軸芯Ｃを左から右側に移動させ、左回動中心軸芯ＣＬをフリ−にさせる。テレビ台座３を反時計方向に回動させれば、左勝手仕様となる。工具類を使用せずに、回動中心軸芯Ｃを左から右に移動出来るものである。
【発明の効果】
【００１６】  薄型本発明のテレビ取付装置は、従来のテレビ取付装置よりも少ない部品点数で、容易に床頭台のテレビ取付空間及び収納棚への取り付けが行える。
【００１７】  病室の配置によりテレビ取付装置を配置した床頭台が、ベットの左右どちらに置かれても、患者にとっての見易い任意の位置に薄型テレビを保持する事が出来る。
【００１８】  病室の配置の急変によりベットに対してテレビ取付装置を左勝手・右勝手に変更する場合テレビを取り付けたままで工具類を使用せずに、瞬時に選択移動設定出来る。
【００１９】  このような構成のものであれば、右勝手のテレビ取付装置と左勝手のテレビ取付装置を各別に製造・準備する必要が無い為、製造に要する経費・行程を削減する事が出来る上に工場での組み立てミスを防止する事が可能となる。
【発明を実施するための最良の形態・実施例】
【００２０】  以下本発明の一実施例について図面を参照して説明する。
本発明案は、勿論本実施例に限定されるものでは無い。
【００２１】  図１・３・４・５に示すように薄型テレビＡは、背面Ａ２においてテレビ取付ブラケット１Ｒ・１Ｌにネジ（ａ）３１で固定されている。テレビ取付ブラケット１Ｒ・１Ｌは、Ｌ字形状を有しており、そのＲＬ１組の短辺背面にテレビ背面Ａ２を固定する。
【００２２】図４と図５の拡大図のようにテレビ取付ブラケット１Ｒ・１Ｌとテレビ保持部材２は、上部で段付ボルト（ａ）４と皿バネ５により一点ピン支持されている。皿バネ５の摩擦力により、段付ボルト（ａ）４を回動中心としてテレビ画面Ａ１の視野角度を任意に調整・維持出来る。
【００２３】  テレビ取付ブラケット１Ｒ・１Ｌを介して薄型テレビＡを保持したテレビ保持部材２は、テレビ台座３に固定される。テレビ保持部材２は、上部がフック状になっており、テレビ台座中央の背面に折れ曲げ出された面の上部に段付ボルト（ｂ）６でピン支持され、下部をネジ（ｂ）３２で止める容易な組み立て方法になっている。
【００２４】床頭台Ｂ上部のテレビ取付空間Ｂ１前面で左右両端の上板Ｂ２・下板Ｂ３に左・右回動中心軸芯ＣＲ・ＣＬとなる、回動軸７を４個上下の２軸は同一軸芯となるようにネジで固定する。
【００２５】  図６（ａ）のように床頭台ＢがベットＤの右側に置かれた場合、右勝手仕様としてテレビ取付空間Ｂ１前面左側の上下回動軸７を左回動中心軸芯ＣＬとして、薄型テレビＡが固定されたテレビ台座３は回動する。回動中心板８の左切り欠き状長穴の左回動中心点８ＣＬが回動中心として左回動軸７Ｌから外れないように、テレビ台座３の各上・下面と回動中心板８のすり割り部にはめ込まれたスライダ−プレ−ト９は、圧縮バネ１０によって押された右側のスライダ−ストッパ−１１により左側に押され、回動中心板８の左切り欠き状長穴の左回動中心点８ＣＬとスライダ−プレ−ト９の左円弧部９Ｌとによる回動中心部を形成する。
【００２６】  図６（ｂ）のように床頭台ＢがベットＤの左側に置かれた場合は、上記の右勝手仕様状態では患者はテレビ背面Ａ２しか見られない。そこで左勝手仕様となるように回動中心軸芯Ｃを左回動中心軸芯ＣＬから右回動中心軸芯ＣＲに移動させるには、図８（ａ）（ｂ）のようにテレビ台座３を正面まで回動させ、テレビ台座３に固定された回動中心板８の右側回動中心長穴を右回動軸７Ｒに押し当てる。圧縮バネ１０によってスライダ−プレ−ト９を左に押しつけていた右側のスライダ−ストッパ−１１が右回動軸７Ｒに押され、スライダ−プレ−ト９への規制を解除した状態で、図８（ｂ）（ｃ）のようにテレビ台座３を左側にスライダ−９の中央部規制長穴分だけ手で移動させると回動中心板８の右回動中心点８ＣＲが回動中心軸芯Ｃとなる。図８（ｄ）のように圧縮バネ１０によって押された左側のスライダ−ストッパ−１１によりスライダ−プレ−ト９は右に移動固定され、回動中心板８の右切り欠き状長穴の右回動中心点８ＣＲとスライダ−プレ−ト９の右円弧部９Ｒとによる回動中心部を形成して右回動軸７Ｒからずれないようになり回動中心軸芯Ｃを左から右側に移動させ、左回動中心軸芯ＣＬをフリ−にさせる。図１１のようにテレビ台座３を反時計方向に回動させれば、左勝手仕様となる。工具類を使用せずに、回動中心軸芯Ｃを左から右に移動出来るものである。
【００２７】  テレビ台座３にはテレビ画面Ａ１とは反対方向に床頭台Ｂと同じ材質の背面板１２が固定されており、薄型テレビＡを格納した場合にテレビの背面Ａ２と取付金具等１Ｒ・１Ｌ、２及び電気配線が見えないようにしている。テレビ台座３の折り曲げられた上面に取り付けた格納固定金具１３が格納状態において、テレビ取付空間Ｂ１の上板Ｂ２に取り付けられた永久磁石１４の磁力によって吸着固定されて、格納状態を維持するようになっている。病院内、病室内の床頭台Ｂ移動時にもテレビ台座３が自然回動して壁、ドア等に接触・破損する心配が無い。
【００２８】  本テレビ取付装置は、床頭台に限らず食器棚や本棚など他の各種収納棚に取り付けて使用することも出来る。
【図面の簡単な説明】
【００２９】
【図１】本発明のテレビ取付装置を組み込んで薄型テレビを格納した状態における、床頭台の正面図である。
【図２】本発明のテレビ取付装置を組み込んで薄型テレビを格納した状態における、床頭台の右側面図である。
【図３】本発明のテレビ取付装置を右勝手仕様にテレビ取付空間に取り付けて、薄型テレビを格納した状態における図１のａａ断面の平面図である。
【図４】本発明のテレビ取付装置を右勝手仕様にテレビ取付空間に取り付けて、薄型テレビを格納した状態における図１のテレビ取付空間Ｂ１の拡大正面図である。
【図５】図３におけるテレビ支持部の部分拡大図である。
【図６（ａ）】本発明のベットと床頭台の位置関係による、テレビ取付装置の右勝手仕様の平面図である。
【図６（ｂ）】本発明のベットと床頭台の位置関係による、テレビ取付装置の左勝手仕様の平面図である。
【図７】本発明のテレビ取付装置における右勝手仕様のテレビ回動軌跡の断面平面図である。
【図８】本発明のテレビ取付装置における右勝手仕様から左勝手仕様への回動中心移動機構の作用説明平面図である。
【図９】本発明のテレビ取付装置における回動中心移動機構における、スライダ−プレ−トによるロック機構の作用拡大説明平面図である。
【図１０】本発明のテレビ取付装置における回動中心移動機構における、回動中心部のスライダ−プレ−トによるロック機構の作用説明断面図である。
【図１０（ａ）】テレビ台座３の上部断面図である。
【図１０（ｂ）】テレビ台座３の下部断面図である。
【図１０（ｃ）】テレビ台座３の部品図である。
【図１１】本発明のテレビ取付装置における左勝手仕様のテレビ回動軌跡の断面平面図である。
【符号の説明】
Ａ      薄型テレビ
Ａ１    テレビ前面（画面）
Ａ２    テレビ背面
Ｂ      床頭台（収納棚）
Ｂ１    床頭台のテレビ取付空間
Ｂ２    テレビ取付空間の上板
Ｂ３    テレビ取付空間の下板
Ｂ４    テレビ取付空間の側板
Ｃ      回動中心軸芯
ＣＲ    右回動中心軸芯
ＣＬ    左回動中心軸芯
Ｄ      ベット
Ｄ１    布団
Ｄ２    枕
１Ｒ    テレビ取付ブラケット（Ｒ）
１Ｌ    テレビ取付ブラケット（Ｌ）
２      テレビ保持部材
３      テレビ台座
４      段付ボルト（ａ）
５      皿バネ
６      段付ボルト（ｂ）
７      回動軸
７Ｒ    右回動軸
７Ｌ    左回動軸
８      回動中心板
８ＣＲ  右回動中心点
８ＣＬ  左回動中心点
９      スライダ−プレ−ト
９Ｒ    右円弧部
９Ｌ    左円弧部
１０    圧縮バネ
１１    スライダ−ストッパ−
１２    背面板
１３    格納固定金具
１４    永久磁石
２１    キャスタ−
３１    ネジ（ａ）
３２    ネジ（ｂ）
【図１】
2006295864.tif 000003
【図２】
2006295864.tif 000004
【図３】
2006295864.tif 000005
【図４】
2006295864.tif 000006
【図５】
2006295864.tif 000007
【図６】
2006295864.tif 000008
【図６（ａ）】
2006295864.tif 000009
【図６（ｂ）】
2006295864.tif 000010
【図７】
2006295864.tif 000011
【図８】
2006295864.tif 000012
【図９】
2006295864.tif 000013
【図１０】
2006295864.tif 000014
【図１１】
2006295864.tif 000015